(57)【要約】      （修正有）【課題】食事の都度に箸を目にすることで、国旗や当該国の言葉を容易に習得できる箸を提供する。【解決手段】一対の箸片４ａ、４ｂからなる箸４において、箸片４ａ、４ｂのそれぞれに、いずれかの国の国旗２ａを表した国旗部２と、国旗部２に表された当該国の言葉３ａを表した文字部３が設けられている。そして、国旗部２は、箸片４ａ、４ｂの正面側の隣り合う側面５ａ、５ａに跨るように設けられ、文字部３は、国旗部２から箸片４ａ、４ｂの側面５において周方向にずれた、背面側の側面５ｂに設けられている。【選択図】図３
0003143679.tif 000002
【実用新案登録請求の範囲】
【請求項１】
一対の箸片からなる箸であって、いずれかの国の国旗を表した国旗部と、当該国の言葉を表した文字部とが設けられていることを特徴とする箸。
【請求項２】
前記箸片のそれぞれに、前記国旗部と前記文字部とが設けられていることを特徴とする、請求項１に記載の箸。
【請求項３】
前記箸片の一方と他方とでは、前記国旗部に同じ国の国旗が表され、前記文字部に当該国の異なる言葉が表されることを特徴とする、請求項２に記載の箸。
【請求項４】
前記箸片の一方と他方とでは、前記国旗部に異なる国の国旗が表され、前記文字部には、前記箸片のそれぞれにおいて、前記国旗部に対応する当該国の一つ又は複数の言葉が表されることを特徴とする、請求項２に記載の箸。
【請求項５】
前記国旗部と前記文字部とは、前記箸片の側面において、周方向にずれて配置されることを特徴とする、請求項１ないし４のいずれか１項に記載の箸。
【請求項６】
前記国旗部と前記文字部とは、前記箸片の側面において、長手方向に並んで配置されることを特徴とする、請求項１ないし４のいずれか１項に記載の箸。
【請求項７】
前記国旗部と前記文字部とは、前記箸片のいずれかの位置に重なるように配置されることを特徴とする、請求項１ないし４のいずれか１項に記載の箸。
【請求項８】
前記国旗部は、前記箸片の一方に設けられ、前記文字部は、前記箸片の他方に設けられていることを特徴とする、請求項１に記載の箸。
【請求項９】
前記国旗部と前記文字部の一方又は両方は、前記箸片の側面において、長手方向に対して、傾いた向きで表示されることを特徴とする、請求項１ないし８のいずれか１項に記載の箸。
【請求項１０】
前記箸片は、長手方向に直交する断面形状が五角形状をしていることを特徴とする、請求項１ないし９のいずれか１項に記載の箸。
【考案の詳細な説明】
【技術分野】
【０００１】
この考案は、国旗と当該国の言葉が表わされた箸に関するものである。
【背景技術】
【０００２】
従来、周知の通り、箸片の側面に、絵柄や模様などの装飾が施された箸があった（例えば、特許文献１参照）。
【特許文献１】意匠登録第６７０１１２号公報
【考案の開示】
【考案が解決しようとする課題】
【０００３】
しかしながら、上記従来の箸に描かれている絵柄や模様は、単に装飾として表されているものであって、使用者が箸を使用するたびに繰り返して目にしていても、特に学んだり記憶したりするものではなかった。
【０００４】
この考案は、上記した従来の欠点を解決するためになされたものであり、その目的とするところは、箸に、国旗部や当該国の言葉を表す文字部を設け、食事の都度にこれらを目にすることで、国旗や当該国の言葉を容易に習得できる箸を提供することにある。また、他の目的は、国旗部や文字部に、海外の国旗や言葉を表すことで、海外の国に関する知識を増やすことができ、国際知識の習得並びに諸外国との友好、親善の推進にも役立つ箸を提供することにある。
【課題を解決するための手段】
【０００５】
この考案に係る箸は、前記目的を達成するために、次の構成からなる。すなわち、
請求項１に記載の考案に係る箸は、一対の箸片からなる箸であって、いずれかの国の国旗を表した国旗部と、当該国の言葉を表した文字部とが設けられている。これにより、食事の都度に国旗と当該国の言葉を目にすることができ、このため、これらが自然に記憶に残り、しかも繰り返して目にすることで、確実に記憶することができる。
【０００６】
また、請求項２に記載の考案に係る箸のように、請求項１に記載の箸において、前記箸片のそれぞれに、前記国旗部と前記文字部とが設けられていてもよい。
【０００７】
また、請求項３に記載の考案に係る箸のように、請求項２に記載の箸において、前記箸片の一方と他方とでは、前記国旗部に同じ国の国旗が表され、前記文字部に当該国の異なる言葉が表されていてもよい。国旗部を同じ国の国旗にすることで、一膳揃えたときに統一感があるデザインとなり、また、箸片ごとに違う言葉を付すことで、当該国の複数の言葉を覚えることができる。
【０００８】
また、請求項４に記載の考案に係る箸のように、請求項２に記載の箸において、前記箸片の一方と他方とでは、前記国旗部に異なる国の国旗が表され、前記文字部には、前記箸片のそれぞれにおいて、前記国旗部に対応する当該国の一つ又は複数の言葉が表されていてもよい。これにより、一膳の箸で、複数の国の国旗や、複数の国の言葉に触れることができる。
【０００９】
また、請求項５に記載の考案に係る箸のように、請求項１ないし４のいずれか１項に記載の箸において、前記国旗部と前記文字部とは、前記箸片の側面において、周方向にずれて配置されていてもよい。これにより、例えば、両箸片の国旗部を上面にして置いておき、上面からは見えない他の側面に設けられている文字部の言葉を言い当てたり、暗記したりすることができる。
【００１０】
また、請求項６に記載の考案に係る箸のように、請求項１ないし４のいずれか１項に記載の箸において、前記国旗部と前記文字部とは、前記箸片の側面において、長手方向に並んで配置されていてもよい。これにより、箸片の同一側面上に国旗部と文字部が設けられ、国旗と当該国の言葉の両方を一度に目にすることができる。
【００１１】
また、請求項７に記載の考案に係る箸のように、請求項１ないし４のいずれか１項に記載の箸において、前記国旗部と前記文字部とは、前記箸片のいずれかの位置に重なるように配置されていてもよい。これにより、国旗と当該国の言葉の両方を一度に目にすることができる。
【００１２】
また、請求項８に記載の考案に係る箸のように、請求項１に記載の箸において、前記国旗部は、前記箸片の一方に設けられ、前記文字部は、前記箸片の他方に設けられていてもよい。これにより、箸片の側面に国旗部または文字部のどちらか一方を設けるだけでよいので、加工の手間が少なくてすむ。
【００１３】
また、請求項９に記載の考案に係る箸のように、請求項１ないし８のいずれか１項に記載の箸において、前記国旗部と前記文字部の一方又は両方は、前記箸片の側面において、長手方向に対して、傾いた向きで表示されていてもよい。
【００１４】
また、請求項１０に記載の考案に係る箸のように、請求項１ないし９のいずれか１項に記載の箸において、前記箸片は、長手方向に直交する断面形状が五角形状をしていてもよい。
【考案の効果】
【００１５】
この考案に係る箸によれば、食事の都度、国旗と当該国の言葉を目にすることができるため、これらが自然に記憶に残り、国旗および当該国の言葉を容易に習得でき、特に、それらが海外の国旗や言葉であれば、国際知識の習得並びに諸外国との友好、親善の推進にも役立つ。
【考案を実施するための最良の形態】
【００１６】
以下、この考案を実施するための最良の形態を図面に基づいて説明する。
【００１７】
図１〜図４は、本考案の一実施の形態を示す。図中符号４は、一対の箸片４ａ、４ｂからなる。そして、この箸４には、いずれかの国の国旗２ａを表した国旗部２と、国旗部２に表された当該国の言葉３ａを表した文字部３が設けられている。
詳細には、前記箸片４ａ、４ｂのそれぞれに、前記国旗部２と前記文字部３とが設けられる。
【００１８】
図示実施の形態においては、箸片４ａ、４ｂの国旗部２、２には、それぞれ日本の国旗２ａ、２ａが示されている（図１参照）。そして、箸片４ａ、４ｂの文字部３、３には、それぞれ日本語で「こんにちは」という言葉３ａ、３ａが付されている（図２参照）。
【００１９】
また、国旗部２と文字部３とは、箸片４ａ、４ｂの側面において、周方向にずれて配置されている。図示実施の形態においては、箸片４ａ、４ｂは、長手方向に直交する断面形状が五角形状をしているため、その把持部側の前記側面５のうち、正面側の隣り合う側面５ａ、５ａに跨るように、日本の国旗２ａが表された国旗部２が設けられ、また、背面側の側面５ｂには、日本語で「こんにちは」という言葉３ａが表された文字部３が設けられている。
【００２０】
また、図示実施の形態においては、国旗部２の国旗２ａと文字部３の言葉３ａは、シルクスクリーン印刷によって印刷されている。
【００２１】
なお、図３は、一方の箸片４ａでは国旗部２が、他方の箸片４ｂでは文字部３が表を向くように、箸片４ａ、４ｂを並べた図を示す。
【００２２】
次に、以上の構成からなる箸４の作用効果について説明する。
この箸４（詳細には、箸片４ａ、４ｂ）を食事の都度に使用すれば、国旗部２、２に表されたいずれかの国の国旗２ａ、２ａと、文字部３、３に表された当該国の言葉３ａ、３ａを、食事の都度に目にすることができる。したがって、これらの国旗２ａと、当該国の言葉３ａが自然に記憶に残り、しかも繰り返して目にすることで、確実に記憶することができる。
【００２３】
また、国旗部２に海外の国旗を表し、文字部３に国旗部に表わされている当該国の言葉を表した場合には、海外の国に関する知識も増え、国際知識の習得並びに諸外国との友好、親善の推進にも役立つ。
【００２４】
また、国旗部２と文字部３が側面５に設けられていることで、国旗部２と文字部３が目につきやすい。
【００２５】
また、箸片４ａ、４ｂを長手方向に直交する断面形状が五角形となるようにしたことにより、食卓などに置いたときに、箸片４ａ、４ｂが転がりにくく、国旗部２、２や文字部３、３の向きを揃えて食卓に箸を並べることが、容易にできる。
【００２６】
また、国旗部２と文字部３を箸片４ａ、４ｂの周方向にずれて配置したことにより、例えば、箸片４ａ、４ｂの国旗部２が設けられている側面５ａ、５ａを上面にして置いておき（図１参照）、上面からは見えない他の側面５ｂに表されている文字部３の言葉３ａを言い当てたり、暗記したりすることができる。
【００２７】
さらに、箸４を食卓に並べる際に、図１とか図２に示されるように、箸片４ａ、４ｂの国旗部２、２同士、あるいは文字部３、３同士を上面に揃えて箸４を並べたり、図３に示されるように、一方の箸片４ａは国旗部２を上面にし、他方の箸片４ｂは文字部３を上面にするといった組み合わせで箸を並べることもできるので、一膳揃えて箸を並べる際に、並べ方のバリエーションが増える。
【００２８】
尚、本考案は、上述した実施の形態に限定されるわけではなく、その他種々の変更が可能である。例えば、一方の箸片４ａと他方の箸片４ｂとで、国旗部２、２に同じ国の国旗２ａ、２ａが表され、文字部３、３に当該国の同じ言葉３ａ、３ａが表されなくとも、図５に示すように、国旗部２、２に同じ国の国旗２ａ、２ａが表されるのに対し、文字部３、３に当該国の異なる言葉３ａ、３ｂが表されていてもよい。
【００２９】
このように、箸片４ａ、４ｂの国旗部２、２に表される国旗２ａ、２ａを同じ国の国旗にすることで、一膳揃えたときに統一感があるデザインとなり、また、文字部３、３には、箸片４ａ、４ｂごとに違う言葉３ａ、３ｂが付されているため、当該国の複数の言葉を覚えることができる。
【００３０】
また、例えば、一方の箸片４ａと他方の箸片４ｂとで、国旗部２、２に同じ国が表されていなくとも、図６に示すように、一方の箸片４ａと他方の箸片４ｂとでは、前記国旗部２、２に異なる国の国旗２ａ、２ｂが表されていてもよい。また、前記文字部３、３には、箸片４ａ、４ｂのそれぞれにおいて、前記国旗部２、２の国旗２ａ、２ｂに対応する当該国の一つの言葉に限られず、複数の言葉３ｂ、３ｄが表されていてもよい。
具体的には、図６の例においては、箸４は、一方の箸片４ａが南アフリカ共和国、他方の箸片４ｂは日本というように、異なった国を示した箸片４ａ、４ｂで構成されている。また、一方の箸片４ａの側面５には、南アフリカ共和国の国旗２ａを表した国旗部２が設けられていると共に、英語で「Ｈｅｌｌｏ」「Ｔｈａｎｋ  ｙｏｕ」といった複数の言葉３ａ、３ｂが表された文字部３が設けられ、他方の箸片４ｂの側面５には、日本の国旗２ｂを表した国旗部２が設けられていると共に、日本語で「こんにちは」「ありがとう」といった複数の言葉３ｃ、３ｄが表された文字部３が設けられている。尚、図６に示される変形例では、文字部３に二つの言葉３ａ，３ｂが表されているが、言葉は、一つであっても、三つ以上であってもかまわない。
【００３１】
この箸４（詳細には、箸片４ａ、４ｂ）を使用すれば、例えば、箸片４ａ、４ｂごとに異なる国についての国旗２ａ、２ｂと言葉３ａ、３ｂ、３ｃ、３ｄが表されているため、同時に複数の国旗２ａ、２ｂや複数の国の言葉３ａ、３ｂ、３ｃ、３ｄに触れることができる。
【００３２】
また、国旗部２と文字部３とが、箸片４ａ、４ｂの周方向にずれた位置に配置されるとは、図３に示されるように、国旗部２と文字部３が、正面側の側面５ａと背面側の側面５ｂといった離れた側面に配置されている場合に限らず、図７に示すように、国旗部２と文字部３は、周方向の隣り合う側面５ａ、５ｃに配置されていてもよい。また、断面形状が多角形状の箸片４ａ、４ｂの場合であれば、例えば二つおきの側面に国旗部２、２及び文字部３、３を設けてもかまわない。
具体的には、図７の例においては、箸片４ａ，４ｂの一方の側面５ａ、５ａにフランスの国旗２ａ、２ａを表した国旗部２、２を設け、国旗部２、２が設けられた側面５ａ、５ａに対して周方向の隣り合う側面５ｃ、５ｃに文字部３、３が設けられている。そして、文字部３、３には、一方の箸片４ａには、フランス語で「Ｂｏｎｊｏｕｒ」という言葉３ａが、また、他方の箸片４ｂには、同じくフランス語で「ｍｅｒｃｉ」という言葉３ｂが表されており、箸片４ａ、４ｂごとに文字部３、３の言葉３ａ、３ｂが異なっている。
【００３３】
また、例えば、国旗部２と文字部３とが、箸片４ａ、４ｂの側面５において、周方向にずれて配置されていなくとも、図８に示すように、国旗部２、２と文字部３、３とが、箸片４ａ、４ｂの側面５、５において、長手方向に並んで配置されてもよい。
具体的には、図８の例においては、箸片４ａ、４ｂの側面５、５に、イギリスの国旗２ａ、２ａを表した国旗部２、２が設けられ、前記イギリスの国旗２ａ、２ａを表した国旗部２、２と隣り合う右横の位置（天頂部側の位置）に、一方の箸片４ａには、英語で「Ｈｅｌｌｏ」という言葉３ａを表した文字部３が、また、他方の箸片４ｂには、英語で「Ｔｈａｎｋ  ｙｏｕ」という言葉３ｂを表した文字部３が設けられている。また、この例においても、箸片４ａ、４ｂごとに文字部３の言葉３ａ、３ｂが異なっている。
【００３４】
また、例えば、国旗部２と文字部３とが、箸片４ａ、４ｂの側面５、５において、周方向にずれて配置されていたり、長手方向に並んで配置されていなくとも、図９に示すように、国旗部２、２と文字部３、３とが、重なるように配置されていてもよい。
具体的には、図９の例においては、箸片４ａ、４ｂの側面５、５に、メキシコの国旗２ａ、２ａを表した国旗部２、２が設けられ、国旗部２、２に表されたメキシコの国旗２ａ、２ａと重なるように、文字部３、３が設けられている。そして、文字部３、３には、一方の箸片４ａには、スペイン語で「Ｂｕｅｎａｓ  ｔａｒｄｅｓ」という言葉３ａが、また、他方の箸片４ｂには、スペイン語で「Ｇｒａｃｉａｓ」という言葉３ｂが表されており、この例においても、箸片４ａ、４ｂごとに文字部３、３の言葉３ａ、３ｂが異なっている。尚、箸片４ａ、４ｂの形状は、断面形状が五角形状とかその他の多角形状のものに限らず、図９に示されるように、断面形状が円形状のものでもよい。
【００３５】
このように、図８、９に示される例によれば、国旗部２と文字部３が同一側面５に設けられているため、国旗部２と文字部３の両方を一度に目にすることができる。
【００３６】
また、例えば、箸片４ａ，４ｂのそれぞれに、国旗部２、２と文字部３、３の両方が設けられていなくても、図１０に示すように、国旗部２は、箸片４ａ、４ｂの一方に設けられ、文字部３は、箸片４ａ、４ｂの他方に設けられていてもよい。
具体的には、図１０の例においては、箸４は、一方の箸片４ａの側面５にアメリカの国旗２ａが表された国旗部２のみが設けられ、他方の箸片４ｂの側面５に英語で「Ｔｈａｎｋ  ｙｏｕ」という言葉３ａが表された文字部３のみが設けられている。
【００３７】
この箸４（詳細には、箸片４ａ、４ｂ）によれば、箸片４ａ、４ｂの側面５、５に国旗部２または文字部３のどちらか一方を設けるだけでよいので、加工の手間が少なくてすむ。
【００３８】
また、図１１に示すように、国旗部２、２と文字部３、３の一方又は両方が、前記箸片４ａ、４ｂの側面５、５において、長手方向に対して、傾いた向きで表示されていてもよい。
具体的には、図１１の例においては、箸片４ａ、４ｂの側面５、５にインドネシアの国旗２ａ、２ａを表した国旗部２、２が、箸片４ａ、４ｂの長手方向に対して斜めに設けられ、また、インドネシア語で「Ｔｅｒｉｍａ  ｋａｓｉｈ」という言葉３ａが表された文字部３が、国旗部２と平行に設けられている。
【００３９】
この箸４（詳細には、箸片４ａ、４ｂ）によれば、箸片４ａ、４ｂに国旗部２、２と文字部３、３を設ける際に、デザインのバリエーションが増える。
【００４０】
尚、上述した変形例以外にも、種々の変更が可能であり、例えば、国旗部２と文字部３は、側面５の任意の位置に設けることができ、側面の箸先側や天頂部側でもよい。また、国旗部２と文字部３は、側面５に限定されず、天頂部に設けてもよい。
【００４１】
また、国旗部２と文字部３は、一つの箸片４ａ（４ｂ）において複数個、設けてもよい。
【００４２】
箸片４ａ、４ｂに設けられる文字部３には、国旗部２における国旗２ａの国の言葉３ａが表されるが、その箸片４ａ、４ｂに、文字部３に加えて、他の国の言葉を合わせて表示してもよい。
【００４３】
また、文字部３に表される言葉は、挨拶語やお礼の言葉に限定されず、ことわざや文章などでも良く、特に限定されない。また、文字部３には、記号、数字などが含まれていてもよい。
【００４４】
また、国旗部２や文字部３を設ける方法は、シルクスクリーン印刷以外の印刷法によって印刷されてもよい。また、予め国旗２ａや言葉３ａが印刷された印刷物を貼り付けたりしてもよく、さらには、印刷以外にも、国旗２ａや文字３ａを手書きしたり、彫ったり、転写シールを利用したりしてもよく、国旗部２や文字部３を設ける方法は、特に限定されない。
【００４５】
また、箸片４ａ、４ｂの外形の形状とか断面形状は、特に限定されない。
【００４６】
また、箸４は、予め二本の箸片４ａ，４ｂに分離している一膳の箸４に限らず、割り箸、すなわち、一対の箸片が連結されていて、使用するときに割って二本の箸片に分離するタイプの箸であってもよい。
【図面の簡単な説明】
【００４７】
【図１】この考案に係る箸の一実施の形態の、正面図である。
【図２】同じく、一部破断背面図である。
【図３】同じく、一方の箸片の一部を破断した正面と他方の箸片の一部を破断した背面を表した図である。
【図４】同じく、図１におけるＡ−Ａ線による拡大断面図である。
【図５】この考案に係る箸の、第一の変形例を示す図２相当図である。
【図６】この考案に係る箸の、第二の変形例を示す一部破断図である。
【図７】この考案に係る箸の、第三の変形例を示す一部破断図である。
【図８】この考案に係る箸の、第四の変形例を示す一部破断図である。
【図９】この考案に係る箸の、第五の変形例を示す一部破断図である。
【図１０】この考案に係る箸の、第六の変形例を示す一部破断図である。
【図１１】この考案に係る箸の、第七の変形例を示す一部破断図である。
【符号の説明】
【００４８】
２    国旗部
２ａ  国旗
２ｂ  国旗
３    文字部
３ａ  言葉
３ｂ  言葉
３ｃ  言葉
３ｄ  言葉
４    箸
４ａ  箸片
４ｂ  箸片
５    側面
５ａ  側面
５ｂ  側面
５ｃ  側面
【図１】
0003143679.tif 000003
【図２】
0003143679.tif 000004
【図３】
0003143679.tif 000005
【図４】
0003143679.tif 000006
【図５】
0003143679.tif 000007
【図６】
0003143679.tif 000008
【図７】
0003143679.tif 000009
【図８】
0003143679.tif 000010
【図９】
0003143679.tif 000011
【図１０】
0003143679.tif 000012
【図１１】
0003143679.tif 000013